(57)【要約】      （修正有）【課題】複数の発言者の音声を音場の略全範囲にわたって臨場感を伴って自然に拡声することができ、各発言者には他の発言者の発言内容を十分に理解させることができる電気音響装置の提供。【解決手段】  電気音響装置Ｄ１は、複数のマイクロホンＭ1,Ｍ2,・・・,Ｍnと、ミキシング手段１１と、第１のスピーカ１５と、自動利得調整手段１２と、該複数のマイクロホンＭ1,Ｍ2,・・・,Ｍnのうちの少なくとも一のマイクロホンに対応して設けられた電気音響変換器Ｓ1,Ｓ2,・・・Ｓnとを具備する。該ミキシング手段１１は該複数のマイクロホンＭ1,Ｍ2,・・・,Ｍnの出力信号を合成して合成信号を生成する。該第１のスピーカ１５は該合成信号を音声に変換する。該自動利得調整手段１２は、該合成信号に利得を与えるとともに、該合成信号のレベルに応じて該利得を自動的に調整する。該電気音響変換器Ｓ1,Ｓ2,・・・,Ｓnは該自動利得調整手段１２の出力信号を音声に変換する。【選択図】  図３
2005333497.tif 000002
【特許請求の範囲】
【請求項１】
複数のマイクロホンと、ミキシング手段と、第１のスピーカと、自動利得調整手段と、該複数のマイクロホンのうちの少なくとも一のマイクロホンに対応して設けられた電気音響変換器とを具備し、
該ミキシング手段は該複数のマイクロホンの出力信号を合成して合成信号を生成し、
該第１のスピーカは該合成信号を音声に変換し、
該自動利得調整手段は、該合成信号に利得を与えるとともに、該合成信号のレベルに応じて該利得を自動的に調整し、
該電気音響変換器は該自動利得調整手段の出力信号を音声に変換する、電気音響装置。
【請求項２】
該電気音響変換器が第２のスピーカ、ヘッドホン  又は  イヤホンである、請求項１記載の電気音響装置。
【請求項３】
該複数のマイクロホンの出力信号が、第１の無線通信装置によって該ミキシング手段に送出される、請求項１又は２記載の電気音響装置。
【請求項４】
該第１の無線通信装置が第１の赤外線無線通信装置である、請求項３記載の電気音響装置。
【請求項５】
該自動利得調整手段の出力信号が、第２の無線通信装置によって該電気音響変換器に送出される、請求項１乃至４のいずれか一の項に記載の電気音響装置。
【請求項６】
該第２の無線通信装置が第２の赤外線無線通信装置である、請求項５記載の電気音響装置。
【請求項７】
会議場に設けられ、
該複数のマイクロホンが、会議への参加者用の複数の席の各々に対応して設けられたマイクロホンであり、
該第１のスピーカが、該会議場の略全範囲に音声を提供するために設けられたスピーカである、請求項１乃至６のいずれか一の項に記載の電気音響装置。
【発明の詳細な説明】
【技術分野】
【０００１】
本願発明は、複数のマイクロホンの出力信号を合成することによって得られる合成信号を、マイクロホンの使用者に個別に音声として提供するとともに、該マイクロホン使用者以外の者にも音声として提供するための電気音響装置に関する。
【背景技術】
【０００２】
複数のマイクロホンの出力信号を合成し、合成信号を音声に変換してマイクロホンの使用者に個別に提供するとともに、該マイクロホン使用者以外の者にも合成信号を音声として提供することが求められるような音場がある。その典型的な例は会議場である。
【０００３】
例えば、ある会議場において、ある議会の会議が開催される場合は、この議会の議員が会議への参加者となる。会議場には、会議への参加者たる議員以外にも、例えば傍聴席に傍聴者が居ることがある。
【０００４】
会議へ参加する各議員の発言は、他の議員や傍聴者に聞かせなければならない。また、会議へ参加する各議員には、他の議員の発言内容を明瞭に聞かせなければならない。
【０００５】
そのため、各議席には発言者ユニットと呼ばれる装置が設けられることがある。
【０００６】
発言者ユニットには、マイクロホンと小型のスピーカとが設けられている。各議員の発言は、発言者ユニットのマイクロホンによって受音されて、他の議員の議席の発言者ユニットのスピーカから拡声される。
【０００７】
また、各議員の発言は、発言者ユニットのマイクロホンによって受音されて、会議場の略全範囲に音声を提供するためのスピーカからも拡声される。これにより、他の議員のみならず、傍聴者もその発言を聞くことができる。
【０００８】
会議においては、少数の議員が同時に発言する場合（一人の議員のみが発言する場合も含む）もあるし、多数の議員が同時に発言する場合もある。少数の議員が同時に発言する場合は、発言者全員の音声を合成しても、そのレベルは小さい。多数の議員が同時に発言する場合は、発言者全員の音声を合成すると、そのレベルは大きくなる。
【０００９】
傍聴者は、各議員の発言を聞くことのみならず、会議内容を自然な音声で聞くことを望む。そのため、会議場の略全範囲に音声を提供するスピーカからは、発言する議員全員の音声を合成して、その合成された音声を加工することなく自然に拡声することが望ましい。
【００１０】
しかし、発言する議員全員の音声を合成して、その合成された音声を加工することなく発言者ユニットのスピーカから拡声すると、発言が聞き取りにくくなることがある。その原因の一つは、発言者ユニットのスピーカが小型であることである。つまり、発言者ユニットには、一般的に、スピーカの音量を調整するボリュームが設けられているが、少数の議員が発言する場合を想定してこのボリュームを調整しておくと、多数の議員が発言したときにスピーカの拡声音が歪んでしまうことがある。また、多数の議員が発言する場合を想定してこのボリュームを調整しておくと、小数の議員が発言したときにはスピーカからの拡声音が小さすぎるという事態が生ずる。また、発言者数に応じてその都度ボリューム調整を行うことによってこの問題を回避できるかもしれないが、このようなボリューム調整はたいへん煩わしいことである。
【００１１】
なお、エコー制御技術を利用した会議用装置も提案されている（例えば、特許文献１）。大きなエコーが発生するような会議場においてこの装置を使用すると、エコーによる音声明瞭度の低下をある程度防止することはできる。しかし、各議員に他の議員の発言を明瞭に聞かせることはできない。
【特許文献１】特開平５−７１７０号公報
【発明の開示】
【発明が解決しようとする課題】
【００１２】
本願発明の目的は、複数の発言者の音声を音場の略全範囲にわたって臨場感を伴って自然に拡声することができ、その一方で各発言者には他の発言者の発言内容を十分に理解させることができるような、電気音響装置を提供することにある。
【課題を解決するための手段】
【００１３】
上記課題を解決するため、本願発明にかかる電気音響装置は、複数のマイクロホンと、ミキシング手段と、第１のスピーカと、自動利得調整手段と、該複数のマイクロホンのうちの少なくとも一のマイクロホンに対応して設けられた電気音響変換器とを具備し、該ミキシング手段は該複数のマイクロホンの出力信号を合成して合成信号を生成し、該第１のスピーカは該合成信号を音声に変換し、該自動利得調整手段は、該合成信号に利得を与えるとともに、該合成信号のレベルに応じて該利得を自動的に調整し、該電気音響変換器は該自動利得調整手段の出力信号を音声に変換する。
【００１４】
該第１のスピーカは該合成信号をリニアリティを伴って音声化して、その音声を音場に提供することができる。一方、該電気音響変換器は、該自動利得調整手段によってレベルが調整された音声を提供する。よって、該マイクロホンに向かって発せられた発言の内容を、より明瞭に提供することができる。
【発明の効果】
【００１５】
本願の電気音響装置によれば、音場の略全範囲において臨場感のある自然な音声を聞くことができる。また、マイクロホンの使用者は、他のマイクロホンの使用者の発言内容を明瞭に聞くことができる。
【発明を実施するための最良の形態】
【００１６】
本願発明の電気音響装置において、該電気音響変換器は、第２のスピーカであってもよいし、ヘッドホンであってもよいし、イヤホンであってもよい。
【００１７】
また、上記電気音響装置において、該複数のマイクロホンの出力信号が、第１の無線通信装置によって該ミキシング手段に送出されるように構成してもよい。
【００１８】
またさらに、上記電気音響装置において、該第１の無線通信装置が第１の赤外線無線通信装置であってもよい。
【００１９】
またさらに、上記電気音響装置において、該自動利得調整手段の出力信号が、第２の無線通信装置によって該電気音響変換器に送出されるように構成してもよい。無線通信機では、使用できる無線信号の搬送周波数の帯域幅に制限がある。音声信号を大きなダイナミックレンジを伴って無線送信すると、広い占有周波数帯域が必要となる。よって、多チャンネルの無線送信が困難となる。しかし、自動利得調整手段によって音声信号のレベルを調整すると、音声信号のダイナミックレンジを小さくすることができる。よって、使用できる無線信号の搬送周波数の帯域幅に制限があるにもかかわらず、多チャンネルの無線送信が容易となる。また、ダイナミックレンジを狭くして、占有周波数帯域を狭くすることによって、相互変調、二次高調波、ＩＦ妨害、ＩＭ妨害などの問題が生じにくくなる
またさらに、上記電気音響装置において、該第２の無線通信装置が第２の赤外線無線通信装置であってもよい。赤外線無線装置においては、使用できる搬送周波数の帯域幅の制限が特に大きいので、自動利得調整手段による音声信号のレベル調整は、より効果的である。
【００２０】
またさらに、上記電気音響装置が会議場に設けられ、該複数のマイクロホンが、会議への参加者用の複数の席の各々に対応して設けられたマイクロホンであり、該第１のスピーカが、該会議場の略全範囲に音声を提供するために設けられたスピーカであってもよい。つまり、該電気音響装置を会議場用電気音響装置として使用してもよい。
【実施例１】
【００２１】
以下、本願発明の一実施形態たる電気音響装置を図面を参照しつつ説明する。
【００２２】
図１は、電気音響装置Ｄ１が設置された会議場の内部の図である。この会議場には、複数の議席Ｂ１,Ｂ２,Ｂ３・・・を設けたエリアと、複数の傍聴席Ｃを設けたエリアとがある。両エリアは、仕切塀Ｐによって区切られている。
【００２３】
会議場において、例えば、ある議会の会議が開催される。議会の各議員は各議席Ｂ１,Ｂ２,Ｂ３・・・に着席して、会議への参加者となる。傍聴者は、傍聴席Ｃに着席する。傍聴者は会議には参加できない。
【００２４】
会議場の側壁にはスピーカ１５が取り付けられている。
【００２５】
この会議場の議席の数はｎであり、各議席には一台ずつ発言者ユニットが置かれている。つまり、各議席Ｂ１,Ｂ２,Ｂ３,・・・,Ｂnには、発言者ユニットＵ1,Ｕ2,Ｕ3,・・・,Ｕnが設置されている。複数の発言者ユニットＵ1,Ｕ2,Ｕ3,・・・,Ｕnの構成は全て同一である。
【００２６】
図２は、発言者ユニットＵ１の外観図である。この発言者ユニットＵ１は、マイクロホンＭ１と小型スピーカＳ１とを備える。また、この発言者ユニットＵ１は、ボリュームＶ１（図示せず）と押しボタン式スイッチＷ１とを備える。図２にはボリュームＶ１の操作部たる円筒状のつまみＴが表れている。また発言者ユニットＵ１には、マイクロホン用ヘッドアンプＨ１（図示せず）や、小型スピーカを駆動させるためのアンプＡ１（図示せず）が内蔵されている。
【００２７】
再度図１を参照すると、例えば、議席Ｂ１の議員が発言するときは、その議員は議席Ｂ１に設置された発言者ユニットＵ１の押しボタン式スイッチＷ１を押す。そうすると、発言者ユニットＵ１のマイクロホンＭ１がオンの状態となる。発言する議員の声をこのマイクロホンＭ１が受音する。マイクロホンＭ１の出力信号はアンプによって増幅されて、第１のスピーカたるスピーカ１５から拡声される。このスピーカ１５の定格出力レベルは比較的大きい。よって、会議場の略全範囲において、このスピーカ１５の拡声音を聞くことができる。
【００２８】
一方、発言する議員の声を受音したマイクロホンＭ１の出力信号は、各発言者ユニットＵ１,Ｕ２,Ｕ３,・・・,Ｕnに設けられた、電気音響変換器たる小型スピーカからも拡声される。この小型スピーカの定格出力レベルは小さい。発言者ユニットの小型スピーカは、個々の議員に対して拡声音を提供するためのものである。なお、小型スピーカの音量の調整は、ボリューム用のつまみを操作することによって調整できる。
【００２９】
図３は電気音響装置Ｄ１の概略ブロック図である。電気音響装置Ｄ１は、主に、ｎ個のマイクロホンＭ1，Ｍ2，・・・，Ｍnと、ｎ個のマイクロホン用ヘッドアンプＨ1，Ｈ2，・・・，Ｈnと、ｎ個の押しボタン式スイッチＷ1，Ｗ2，・・・，Ｗnと、ｎ個の小型スピーカＳ1，Ｓ2，・・・，Ｓnと、ｎ個のアンプＡ1，Ａ2，・・・，Ａnと、ｎ個のボリュームＶ1，Ｖ2，・・・，Ｖnと、ミキシング装置１１と、自動利得調整装置１２と、ボリューム１３と、アンプ１４と、スピーカ１５とによって構成されている。
【００３０】
マイクロホンＭ1，Ｍ2，・・・，Ｍnと、マイクロホン用ヘッドアンプＨ1，Ｈ2，・・・，Ｈnと、押しボタン式スイッチＷ1，Ｗ2，・・・，Ｗnと、小型スピーカＳ1，Ｓ2，・・・，Ｓnと、アンプＡ1，Ａ2，・・・，Ａnと、ボリュームＶ1，Ｖ2，・・・，Ｖnとは、発言者ユニットＵ1,Ｕ2,・・・,Ｕnに設けられた部材である。
【００３１】
図１,図２の発者ユニットＵ１には、図３のマイクロホンＭ1と、マイクロホン用ヘッドアンプＨ1と、押しボタン式スイッチＷ1と、小型スピーカＳ1と、アンプＡ1と、ボリュームＶ1とが設けられている。また、図１の発者ユニットＵ２には、マイクロホンＭ2と、マイクロホン用ヘッドアンプＨ2と、押しボタン式スイッチＷ2と、小型スピーカＳ2と、アンプＡ2と、ボリュームＶ2とが設けられている。発者ユニットＵnには、マイクロホンＭnと、マイクロホン用ヘッドアンプＨnと、押しボタン式スイッチＷnと、小型スピーカＳnと、アンプＡnと、ボリュームＶnとが設けられている。
【００３２】
このように、小型スピーカＳ1はマイクロホンＭ1に対応して設けられており、小型スピーカＳ2はマイクロホンＭ2に対応して設けられており、小型スピーカＳnはマイクロホンＭnに対応して設けられている。
【００３３】
各マイクロホンＭ1，Ｍ2，・・・，Ｍnの後段には、マイクロホン用ヘッドアンプＨ1，Ｈ2，・・・，Ｈnが接続されており、さらにその後段には、押しボタン式スイッチＷ1，Ｗ2，・・・，Ｗnが接続されている。すべての押しボタン式スイッチＷ1，Ｗ2，・・・，Ｗnの出力信号は、ミキシング装置１１で合成される。その合成信号は、ボリューム１３と自動利得調整装置１２とに分岐して送出される。ボリューム１３の後段にはアンプ１４が接続されており、さらにその後段にはスピーカ１５が接続されている。
【００３４】
自動利得調整装置１２の出力信号は、ｎ個のボリュームＶ1，Ｖ2，・・・，Ｖnに分岐して送出される。各ボリュームＶ1，Ｖ2，・・・，Ｖnの後段にはアンプＡ1，Ａ2，・・・，Ａnが接続されており、さらにその後段には小型スピーカＳ1，Ｓ2，・・・，Ｓnが接続されている。
【００３５】
各マイクロホンＭ1，Ｍ2，・・・，Ｍnは、それに対応する押しボタン式スイッチＷ1，Ｗ2，・・・，Ｗnが押されることによってオンの状態になる。このように、マイクロホンＭ1，Ｍ2，・・・，Ｍnがそれに対応する押しボタン式スイッチＷ1，Ｗ2，・・・，Ｗnが押されることによってオンの状態になるようにしているのは、ハウリングの発生を回避するためである。なお、小型スピーカＳ1，Ｓ2，・・・，Ｓn側にも接続スイッチを設け、この接続スイッチと押しボタン式スイッチＷ1，Ｗ2，・・・，Ｗnとを連動させ、マイクロホンＭ1，Ｍ2，・・・，Ｍnがオンの状態になったときに、それに対応する小型スピーカＳ1，Ｓ2，・・・，Ｓnがオフの状態になるように構成してもよい。このように構成すると、小型スピーカＳ1，Ｓ2，・・・，Ｓnとこれに対応するマイクロホンＭ1，Ｍ2，・・・，Ｍnとの間でハウリングが発生することを、より効果的に回避することができる。
【００３６】
上述したとおり、各マイクロホンＭ1，Ｍ2，・・・，Ｍnは、それに対応する押しボタン式スイッチＷ1，Ｗ2，・・・，Ｗnが押されることによってオンの状態になるのであるが、ｎ個のマイクロホンＭ1，Ｍ2，・・・，Ｍnのうちのオン状態になった全てのマイクロホンの出力信号が、ミキシング装置１１によって合成される。その合成信号はスピーカ１５によって拡声される。スピーカ１５の音量はボリューム１３によって調整することができる。スピーカ１５は比較的大型のスピーカであり、その拡声音は大きい。よって、会議場の略全範囲に拡声音を提供することができる。傍聴者は主にこのスピーカからの拡声音を聞くことによって、会議の内容を理解することができる。
【００３７】
一般的に言えば、ｎ個のマイクロホンＭ1，Ｍ2，・・・，Ｍnのうち、オン状態にあるマイクロホンの数が多いほど、ミキシング装置１１から出力される合成信号のレベルが大きくなる。つまり、少数の議員のみが同時発言しても、ミキシング装置１１から出力される合成信号のレベルは小さいが、多数の議員が同時発言すると、ミキシング装置１１から出力される合成信号のレベルは大きくなる。
【００３８】
スピーカ１５からの拡声音の大きさは、ミキシング装置１１から出力される合成信号の大きさに概略比例する。つまり、ミキシング装置１１から出力される合成信号のレベルがある基準となるレベルの２倍になれば、スピーカ１５からの拡声音のレベルも２倍になり、ミキシング装置１１から出力される合成信号のレベルがある基準となるレベルの２分の１になれば、スピーカ１５からの拡声音のレベルも２分の１になる。このように、スピーカ１５からは、ミキシング装置１１から出力される合成信号が、リニアリティを伴って拡声される。
【００３９】
これによって傍聴者は、各議員の発言内容を聞くことができるのみならず、会議内容の自然な音声を聞くことができ、会議の臨場感を十分に感ずることができる。
【００４０】
スピーカ１５は会議場の略全範囲に拡声音を提供するためのスピーカであるから、その定格出力は大きい。スピーカ１５の出力レベルが、その定格出力レベルよりもかなり小さくても、会議場内に通常の音圧レベルの音声を提供することができる。つまり、スピーカ１５は、通常使用状態において、出力レベルにかなりの余裕がある。
【００４１】
ｎ個のマイクロホンＭ1，Ｍ2，・・・，Ｍnのうち、オン状態にあるマイクロホンの数が多数になったり、または、発言する議員の声が通常よりもかなり大きくなった場合には、ミキシング装置１１から出力される合成信号のレベルもかなり大きくなるが、スピーカ１５からは歪みのない拡声音が提供される。
【００４２】
傍聴者は、各議員の発言内容を聞くことを望むのはもちろんであるが、会議内容の自然な音声を聞くことをも望む。よって、このように、スピーカ１５からミキシング装置１１の出力信号（合成信号）を、リニアリティを伴って拡声することが望ましい。
【００４３】
一方、ミキシング装置１１の出力信号たる合成信号は、自動利得調整装置１２にも送出される。自動利得調整装置１２は「ＡＧＣ」とも略称される装置であり、入力信号のレベルの大きさにかかわらず、出力信号のレベルが一定化するように、入力信号に対して利得を与えるものである。つまり、入力信号のレベルに応じてその利得を変動させるのである。
【００４４】
自動利得調整装置１１の出力信号は各小型スピーカＳ1，Ｓ2,・・・，Ｓnによって拡声される。なお、各議席Ｂ1，Ｂ2，・・・，Ｂnの議員は、発言者ユニットＵ1，Ｕ2，・・・，ＵnのボリュームＶ1，Ｖ2，・・・，Ｖnを調整することによって、小型スピーカＳ1，Ｓ2，・・・，Ｓnの音量を調整することができる。
【００４５】
各議席Ｂ1，Ｂ2，・・・，Ｂnの議員は、発言者ユニットＵ1，Ｕ2，・・・，Ｕnの小型スピーカＳ1，Ｓ，・・・，Ｓnから他の議員の発言を聞くことができる。
【００４６】
先に、傍聴者は、各議員の発言内容を聞くことと、会議内容の自然な音声を聞くことを望むということを説明した。また、スピーカ１５は、通常使用状態において、出力レベルにかなりの余裕があるということを説明した。
【００４７】
これに対して、会議への参加者たる各議員は、会議内容の自然な音声を聞くことよりも、他の議員の発言内容を明瞭に聞くことを重視する。また、発言者ユニットＵ1，Ｕ2，・・・，Ｕnの小型スピーカＳ1，Ｓ2，・・・，Ｓnは、その定格出力レベルが小さい。つまり、小型スピーカＳ1，Ｓ2，・・・，Ｓnには、出力レベルにあまり余裕がない。
【００４８】
スピーカ１５と同様に、ミキシング装置１１の出力信号（合成信号）をリニアリティを伴って小型スピーカＳ1，Ｓ2，・・・，Ｓnから拡声しようとすると、通常使用状態においては、小型スピーカＳ1，Ｓ2，・・・，Ｓnからの拡声音がかなり小さくなるように設定しておかなければならない。そのように設定しておかないと、ミキシング装置１１から出力される合成信号のレベルが通常時よりもかなり大きくなったときに、小型スピーカＳ1，Ｓ2，・・・，Ｓnからの拡声音が歪んでしまうからである。小型スピーカＳ1，Ｓ2，・・・，Ｓnからの拡声音が歪んでしまうと、各議員は、他の議員の発言内容を明瞭に聞くことができなくなる。
【００４９】
しかし、電気音響装置Ｄ１においては、ミキシング装置１１の出力信号（合成信号）が、自動利得調整装置１２によって利得調整されてから、各小型スピーカＳ1，Ｓ2,・・・，Ｓnに提供される。
【００５０】
ｎ個のマイクロホンＭ1，Ｍ2，・・・，Ｍnのうち、オン状態にあるマイクロホンの数が多数になったり、または、発言する議員の声が通常よりもかなり大きくなった場合には、ミキシング装置１１から出力される合成信号のレベルもかなり大きくなる。このように、ミキシング装置１１から出力される合成信号のレベルが通常時よりもかなり大きくなったときでも、その合成信号は、自動利得調整装置１２によって利得調整されるため、小型スピーカＳ1，Ｓ2，・・・，Ｓnからの拡声音が歪むことはない。よって、各議員は、他の議員の発言内容を明瞭に聞くことができる。
【００５１】
また、ｎ個のマイクロホンＭ1，Ｍ2，・・・，Ｍnのうち、オン状態にあるマイクロホンの数が少数になったり、または、発言する議員の声が通常よりもかなり小さくなった場合には、ミキシング装置１１から出力される合成信号のレベルもかなり小さくなる。このように、ミキシング装置１１から出力される合成信号のレベルが通常時よりもかなり小さくなったときも、その合成信号は、自動利得調整装置１２によって利得調整されるため、小型スピーカＳ1，Ｓ2，・・・，Ｓnからの拡声音が過小になることはない。よって、各議員は、他の議員の発言内容を明瞭に聞くことができる。
【００５２】
このように、ミキシング装置１１から出力される合成信号のレベルの大きさに応じて、適切な利得調整がされるため、定格出力レベルの小さな小型スピーカＳ1，Ｓ2，・・・，Ｓnによっても、各議員は、他の議員の発言内容を常に明瞭に聞くことができる。
【実施例２】
【００５３】
上記した実施例１の電気音響装置Ｄ１では、自動利得調整装置１２によって調整された音声信号を、全ての小型スピーカＳ1，Ｓ2，・・・，Ｓnに提供するようにした。
【００５４】
しかし、自動利得調整装置１２によって調整された音声信号を、必ずしも全ての小型スピーカＳ1，Ｓ2，・・・，Ｓnに提供する必要はない。自動利得調整装置１２によって調整された音声信号は、小型スピーカＳ1，Ｓ2，・・・，Ｓnのうちの一部に提供するようにしてもよいし、小型スピーカＳ1，Ｓ2，・・・，Ｓnのうちの一台にのみ提供するようにしてもよい。
【００５５】
図４は、実施例２に係る電気音響装置Ｄ２の概略ブロック図である。図３の電気音響装置Ｄ１と図４の電気音響装置Ｄ２とは、次の点においてのみ相違し、他の点は同一である。
【００５６】
つまり、図３の電気音響装置Ｄ１では、自動利得調整装置１２によって調整された音声信号が、全ての小型スピーカＳ1，Ｓ2，・・・，Ｓnに提供されている。これに対して図４の電気音響装置Ｄ２では、自動利得調整装置１２によって調整された音声信号は、小型スピーカＳ1にのみ提供されている。小型スピーカＳ1は発言者ユニットＵ1に設けられており、この発言者ユニットＵ1には、マイクロホンＭ1が設けられている。つまり、小型スピーカＳ1はマイクロホンＭ1に対応して設けられている。
【００５７】
他の小型スピーカＳ2，・・・，Ｓnには、ミキシング装置１１の出力信号が自動利得調整装置１２を介することなく提供されている。
【００５８】
この図４の電気音響装置Ｄ２においても、小型スピーカＳ1を使用する議員に対しては、ミキシング装置１１から出力される合成信号のレベルの大きさに応じて利得調整された拡声音を提供できる。よってその議員は、ミキシング装置１１から出力される合成信号のレベルが通常時よりもかなり大きくなったときでも、かなり小さくなったときでも、他の議員の発言内容を明瞭に聞くことができる。
【実施例３】
【００５９】
上記した実施例１の電気音響装置Ｄ１においては明示されていないが、マイクロホンＵ1，Ｕ2，・・・，Ｕnの出力信号は無線通信装置によってミキシング装置１１に送出されるようにしてもよい。また、自動利得調整装置１２の出力信号は無線通信装置によって小型スピーカＳ1，Ｓ2，・・・，Ｓnに送出されるようにしてもよい。
【００６０】
図５は、実施例３に係る電気音響装置Ｄ３の概略ブロック図であるが、この図においては、マイクロホンＭ1，Ｍ2，・・・，Ｍnの出力信号をミキシング装置１１に送出する無線通信装置３０と、自動利得調整装置１２の出力信号を小型スピーカＳ1，Ｓ2，・・・，Ｓnに送出する無線通信装置４０とが明示されている。図５の電気音響装置Ｄ３における他の構成は、図３の電気音響装置Ｄ１と同一である。
【００６１】
無線通信装置３０は赤外線無線通信装置である。無線通信装置３０は、送信ユニット３２と受信ユニット３４とで構成されている。送信ユニット３２は送光器３３を備えており、受信ユニット３４は受光器３５を備えている。送光器３３から発せられる赤外線を受光器３５が受光することによって、送信ユニット３２と受信ユニット３４との間で多チャンネル（ｎチャンネル）通信が行われている。
【００６２】
無線通信装置４０も赤外線無線通信装置である。無線通信装置４０は、送信ユニット４２と受信ユニット４４とで構成されている。送信ユニット４２は送光器４３を備えており、受信ユニット４４は受光器４５を備えている。送光器４３から発せられる赤外線を受光器４５が受光することによって、送信ユニット４２と受信ユニット４４との間で多チャンネル（ｎチャンネル）通信が行われている。
【００６３】
前述したように。電気音響装置Ｄ３では、自動利得調整装置１２の出力信号を無線通信装置４０によって小型スピーカＳ1，Ｓ2，・・・，Ｓnに送出している。このように音声信号を無線通信装置４０によって伝送するとき、音声信号を自動利得調整装置１２によって利得調整しておくと、無線通信において使用する搬送波の使用周波数帯幅を狭くすることができるので都合がよい。
【００６４】
その理由は次のとおりである。すなわち、一般に無線通信装置では、使用できる無線信号（赤外線や電波）の搬送周波数の帯域幅に制限がある。音声信号を大きなダイナミックレンジを伴って無線送信すると、広い占有周波数帯域が必要となる。よって、多チャンネルの無線送信が困難となる。
【００６５】
しかし、電気音響装置Ｄ３におけるように、自動利得調整装置１２によって音声信号のレベルを調整すると、音声信号のダイナミックレンジを小さくすることができる。よって、使用できる無線信号（赤外線）の搬送周波数の帯域幅に制限があるにもかかわらず、多チャンネルの無線送信が容易となる。また、ダイナミックレンジを狭くして、占有周波数帯域を狭くすることによって、相互変調、二次高調波、ＩＦ妨害、ＩＭ妨害などの問題が生じにくくなる
電気音響装置Ｄ３においては、無線通信装置４０が赤外線無線通信装置であるが、赤外線無線通信においては、使用できる搬送周波数の帯域幅の制限が特に大きいので、自動利得調整装置１２による音声信号の利得調整は、より効果的である。
【００６６】
以上、図１〜５を参照しつつ、本願発明に係る電気音響装置の種々の実施例を説明した。
【００６７】
上記実施例１〜３においては、マイクロホンＭ1，Ｍ2，・・・，Ｍnに対応して設けられた電気音響変換器が、スピーカ（小型スピーカＳ1，Ｓ2，・・・，Ｓn）であるが、この電気音響変換器がスピーカである必要はない。例えば、ヘッドホンやイヤホンを電気音響変換器として用いてもよい。
【００６８】
また、上記実施例３においては、無線通信装置３０，４０が赤外線無線通信装置であるが、これら無線通信装置が赤外線無線通信装置である必要はない。例えば、電波を使った無線通信装置を用いることもできる。
【産業上の利用可能性】
【００６９】
本願発明の電気音響装置を用いることにより、音場の略全範囲において臨場感のある自然な音声を聞くことができるようになり、かつ、マイクロホンの使用者は他のマイクロホンの使用者の発言内容を明瞭に聞くことができるようになる。よって、本願発明の電気音響装置は、電気音響の技術分野、特に会議場用電気音響装置の技術分野において有益である。
【図面の簡単な説明】
【００７０】
【図１】電気音響装置が設置された会議場の内部の図である。
【図２】発言者ユニットの外観図である。
【図３】電気音響装置の概略ブロック図である。
【図４】電気音響装置の概略ブロック図である。
【図５】電気音響装置の概略ブロック図である。
【符号の説明】
【００７１】
Ｄ１，Ｄ２，Ｄ３  電気音響装置
Ｍ1，Ｍ2，・・・，Ｍn  マイクロホン
Ｈ1，Ｈ2，・・・，Ｈn  マイクロホン用ヘッドアンプ
Ｗ1，Ｗ2，・・・，Ｗn  押しボタン式スイッチ
Ｓ1，Ｓ2，・・・，Ｓn  小型スピーカ
Ａ1，Ａ2，・・・，Ａn  アンプ
Ｖ1，Ｖ2，・・・，Ｖn  ボリューム
１１  ミキシング装置
１２  自動利得調整装置
１３  ボリューム
１４  アンプ
１５  スピーカ
３０，４０  無線通信装置
３２，４２  送信ユニット
３３，４３  送光器
３４，４４  受信ユニット
３５，４５  受光器
【図１】
2005333497.tif 000003
【図２】
2005333497.tif 000004
【図３】
2005333497.tif 000005
【図４】
2005333497.tif 000006
【図５】
2005333497.tif 000007